(57)【要約】【課題】液体を直接、冷却したり保冷したりすることのできるカバーを提供すること。【解決手段】上方が開口している液体容器１の口部１１ａを覆う天板部４１と、天板部４１の外周部から垂下し且つ口部１１ａの外側を囲む側板部４２とを備える合成樹脂製の液体容器用カバーであって、蓄冷剤６が封入された棒状の冷却スティック２を収容し得るスティック収容部４３を天板部４１から垂下し、スティック収容部４３は、内部に蓄冷剤６よりも凍結温度の高い冷媒液７を収容可能にすると共に、冷却スティック２を収容した場合には収容前よりも冷媒液７の水位が上昇し、冷却スティック２の外側を冷媒液７で囲むことを特徴とする。【選択図】      図１
2010071509.tif 000002
【特許請求の範囲】
【請求項１】
上方が開口している液体容器（１）の口部（１１ａ）を覆う天板部（４１）と、天板部（４１）の外周部から垂下し且つ口部（１１ａ）の外側を囲む側板部（４２）とを備える合成樹脂製の液体容器用カバーであって、
蓄冷剤（６）が封入された棒状の冷却スティック（２）を収容し得るスティック収容部（４３）を天板部（４１）から垂下し、
スティック収容部（４３）は、内部に蓄冷剤（６）よりも凍結温度の高い冷媒液（７）を収容可能にすると共に、冷却スティック（２）を収容した場合には収容前よりも冷媒液（７）の水位が上昇し、冷却スティック（２）の外側を冷媒液（７）で囲むことを特徴とする液体容器用カバー。
【請求項２】
天板部（４１）と側板部（４２）とスティック収容部（４３）とからなるカバー本体（４）と、スティック収容部（４３）に着脱可能に嵌め込むカバーキャップ（５）とから構成され、
スティック収容部（４３）は、有底筒状であって、その上端部にスティック挿入口部（４３ａ）を備え、スティック挿入口部（４３ａ）には、冷却スティック（２）の上端部に備わる鍔部（２２）を収容可能としており、
カバーキャップ（５）は、冷却スティック（２）の上面を覆う隠蔽板（５１）と、隠蔽板（５１）から垂下する位置決め板（５２）とを備え、
位置決め板（５２）は、スティック収容部（４３）と冷却スティック（２）の鍔部（２２）との間に嵌り込むことにより、スティック収容部（４３）と冷却スティック（２）との間に筒状の冷媒液収容空間（４４）を形成するものであることを特徴とする請求項１記載の液体容器用カバー。
【請求項３】
カバー本体（４）を透明に形成し、
スティック収容部（４３）は、冷媒液（７）のオーバーフロー予防用の目印を有することを特徴とする請求項１又は２記載の液体容器用カバー。
【請求項４】
棒状の胴部（２１）の上端部に鍔部（２２）を備える冷却スティック（２）と、請求項１から３のうち何れか１項に記載の液体容器用カバー（３）と、を備えていることを特徴とする液体容器用カバーセット。
【発明の詳細な説明】
【技術分野】
【０００１】
本発明は、上方が開口している液体容器、たとえばピッチャー、大・中ジョッキ等に用いるカバーであって、液体内器の内側に冷却スティックを立てた状態で保持するものである。また、カバーと冷却スティックを使用するカバーセットに関する。
【背景技術】
【０００２】
上方が開口している従来の液体容器としては、側壁および底壁を二重壁構造とし、二重壁の間に空室を設けたものが知られている（特許文献１参照）。この構造は、側壁や底壁の外側から伝わる熱を液体に伝え難くすることを、目的とするものである。
【０００３】
別の従来の液体容器としては、液体の冷却効果をさらに高めるため、あるいは冷やされた液体の温度を一定時間に亘り維持し得るように、二重壁構造の空室に冷媒を入れるものも知られている（特許文献２参照）。
【０００４】
これら一連の液体容器は、液体容器自体に対して断熱効果や冷却効果を図るものである。そこで、別の手法で液体を保冷したり、冷却効果を高めたりすることを本発明者は考え、液体容器内の液体を直接冷却することに思い至った。
【０００５】
冷却効果の向上を、従来までのように液体容器の形状によって達成するのではなく、液体を直接冷却することによって達成するには別の観点からの工夫が必要である。そこで、本発明者は液体容器に被せるカバーを用いることを思い付いた。
【０００６】
なお、液体容器に限らずカバーは使用の都度、洗浄され、反復利用されるものである。したがって、カバーは、洗いやすいものが望まれる。
【０００７】
【特許文献１】実開昭５９−２３３７５号公報
【特許文献２】実開昭６１−３４０８０号公報
【発明の開示】
【発明が解決しようとする課題】
【０００８】
本発明は上記実情を考慮して創作されたものであり、その目的は液体を直接、冷却したり保冷したりすることのできるカバーを提供することである。また、できれば洗いやすいことが望まれる。さらに、カバーを有効に使用することのできるカバーセットを提供することである。
【課題を解決するための手段】
【０００９】
本発明は、上方が開口している液体容器の口部を覆う天板部と、天板部の外周部から垂下し且つ口部の外側を囲む側板部とを備える合成樹脂製の液体容器用カバーを前提とする。
【００１０】
請求項１の発明は、蓄冷剤が封入された棒状の冷却スティックを収容し得るスティック収容部を天板部から垂下し、スティック収容部は、内部に蓄冷剤よりも凍結温度の高い冷媒液を収容可能にすると共に、冷却スティックを収容した場合には収容前よりも冷媒液の水位が上昇し、冷却スティックの外側を冷媒液で囲むことを特徴とする。
【００１１】
カバーは、カバー本体だけで構成されるものであってもよいが、請求項２の発明のように、冷却スティックを位置決めして隠蔽するカバーキャップを設けたものであってもよい。すなわち、請求項２の発明は、天板部と側板部とスティック収容部とからなるカバー本体と、スティック収容部に着脱可能に嵌め込むカバーキャップとから構成され、スティック収容部は、有底筒状であって、その上端部にスティック挿入口部を備え、スティック挿入口部には、冷却スティックの上端部に備わる鍔部を収容可能としており、カバーキャップは、冷却スティックの上面を覆う隠蔽板と、隠蔽板から垂下する位置決め板とを備え、位置決め板は、スティック収容部と冷却スティックの鍔部との間に嵌り込むことにより、スティック収容部と冷却スティックとの間に筒状の冷媒液収容空間を形成するものである。
【００１２】
カバー本体は、不透明であってもよいが、中に冷媒液を適量入れ易くするには、請求項３の発明のようにすることが望ましい。すなわち、請求項３の発明は、カバー本体を透明に形成し、スティック収容部は、冷媒液のオーバーフロー予防用の目印を有するものである。
【００１３】
カバーと冷却スティックの大きさは限定されない。したがって、異なる大きさのカバーと冷却スティックを製造、販売しても良い。しかし、異なる大きさのカバーと冷却スティックを、一緒に使用することは通常できない。そこで、カバーと冷却ステッィクを一緒に使用し易くするには、請求項４の発明のように、することが望ましい。すなわち、請求項４の発明は、棒状の胴部の上端部に鍔部を備える冷却スティックと、請求項１から３のうち何れか１項に記載の液体容器用カバーと、を備えている液体容器用カバーセットである。
【発明の効果】
【００１４】
請求項１の発明は、冷却スティックを収容し得るスティック収容部を天板部の内側に垂下してあるので、液体容器の内側から液体を冷やすことができる。そして、冷却スティックの外側を冷媒液、スティック収容部で囲んで液体を冷やすものであるから、蓄冷剤の熱で冷媒液を介して間接的に液体を冷却することになる。したがって、冷却スティックを液体に漬けた場合よりも、液体の冷え方が緩和され（液体の冷え過ぎがなくなり）、長時間に亘って液体を適度な冷たさ（飲み頃の温度）に保つことができる。
【００１５】
請求項２の発明は、天板部と側板部とスティック収容部とからなるカバー本体と、ステッィク保持部に着脱可能に嵌め込むカバーキャップとからカバーを形成する。そして、スティック収容部のスティック挿入口部と冷却スティックの鍔部との間にカバーキャップの位置決め板が嵌り込むことにより、スティック収容部と冷却スティックの間に筒状の冷媒液収容空間を形成するので、冷媒液による冷却緩和効果が確実に得られる。また、冷却スティックの上面を覆うカバーキャップの隠蔽板により、冷却ステッィクが上から直接、見えなくなって美観が向上する。
【００１６】
請求項３の発明は、カバー本体を透明に形成し、冷媒液のオーバフロー予防用の目印をスティック収容部に備えるので、冷媒液を入れながら目視して目印に液面を合わせることができる。
【００１７】
請求項４の発明は、カバーと冷却スティックを備えるものなので、そのまま冷却スティックをカバーに取り付けて使用することができる。
【発明を実施するための最良の形態】
【００１８】
図１〜図４に示すように、液体容器ユニットは、主にビールに代表される飲料を入れて保冷するもので、液体容器１、液体を冷やす冷却スティック２、及び液体容器１に被せるカバー３から構成され、カバー３の同じ箇所に冷媒液７と冷却スティック２を一緒に収容するものである。また、カバー３と冷却スティック２とでカバーセットが構成される。
【００１９】
液体容器１は、透明な合成樹脂製品であって、上方が開口しているコップ状というかジョッキ状である。液体容器１は、具体的には大ジョッキ、中ジョッキなどの比較的大型用が望ましく、特にピッチャーが望ましい。液体容器１は、側周部１１と底部１２の内部に空室１３を連続して有する二重壁構造となっている。側周部１１には持ち手１４が付けてある。また、側周部１１の上部である口部１１ａは、その周方向の一部に注ぎ口１１ｂを設けてある。
【００２０】
冷却スティック２は、内部に蓄冷剤６が封入された棒状の胴部２１と、胴部２１の上端部からその全周に亘って外側に突出するリング状の鍔部２２とを備えるものである。また、冷却スティック２は、蓄冷剤６と、内部に蓄冷剤６を収容する縦長のケース体２３と、ケース体２３の上端に備わる開口部２３ａを塞ぐ蓋２４と、蓋２４に設けられた抜穴２４ａを塞ぐ栓２５とから構成し、合成樹脂製であるケース体２３、蓋２４、及び栓２５を超音波等の溶着によって一体化してある。
【００２１】
ケース体２３は、底のある細長い円筒状の蓄冷剤充填管２３ｂと、蓄冷剤充填管２３ｂの上端からその全周に亘って外側に突出するリング状の下鍔２３ｃとを備えるものである。なお、蓄冷剤充填管２３ｂの上端には、蓄冷剤６を入れる前述の開口部２３ａが備わっている。
【００２２】
蓋２４は円盤状であって、その外周部でリング状の上鍔２４ｂを構成し、この上鍔２４ｂとケース体２３の下鍔２３ｃとによって鍔部２２を構成してある。また、蓋２４は、その底面には蓄冷剤充填管２３ｂの上部内周に嵌り込む円形状の嵌合片２４ｃを垂下すると共に、その底面には嵌合片２４ｃの内側にリブ２４ｄを垂下してある。リブ２４ｄは、底面の中央部から嵌合片２４ｃへ放射状に延長している。さらに、蓋２４は、偏心した位置に栓２５を嵌合する抜穴２４ａを設け、抜穴２４ａの上部に座ぐり（符号省略）を設けてある。
【００２３】
栓２５は、座ぐりの付いた抜穴２４ａに対応する形状（軸部と、軸部よりも大径の頭部とからなる形状）であって、その上面が蓋２４よりも上側に突出している。
【００２４】
蓄冷剤６は半透明で、例えば塩分含有量が全体の重量比で１５％程度の配合割合のものを用い、その塩分含有量により、−２０℃〜−５℃の範囲で凍結又は解凍する性質を有するものを用いる。また、塩分となる材料として、塩化カリウムを用い、全体の重量比で１０〜２０％の配合割合とすることにより、ほぼ確実に蓄冷剤全体が凍結するものと推測される。また、Ｃ．Ｍ．Ｃ（カルボキシメチルセルロース）は、白色〜類白色の粉末であり、その性状は温水だけでなく冷水にも溶解し、溶解時には増粘性を呈するものである。このＣ．Ｍ．Ｃを蓄冷剤６の成分として全体の重量比で１．０〜２．０％で配合することにより、蓄冷剤６が粘結性を呈する。
【００２５】
カバー３は、液体容器１の口部１１ａに被せるカバー本体４と、カバー本体４に備わるスティック挿入口部４３ａを塞ぐカバーキャップ５とから構成され、カバー本体４に収容された冷却スティック２をカバーキャップ５で覆うものである。
【００２６】
カバー本体４は、透明な合成樹脂製品で、液体容器１の口部１１ａの上方を覆う天板部４１と、口部１１ａの外側を覆う側板部４２と、冷却スティック２を保持するスティック収容部４３とから構成され、天板部４１の外周に沿って側板部４２を垂下し、上方が開口しているスティック収容部４３を天板部４１の内側から垂下するものである。
【００２７】
天板部４１は、円盤状であって、液体容器１の注ぎ口１１ｂに対応する箇所を切除してあり、この切除部分に三角形状の泡切り部４１ａを斜め下方に向かって突出してある。泡切り部４１ａは、注ぎ口１１ｂよりも一回り小さな形状であって、注ぎ口１１ｂに嵌り込むものである。泡切り部４１ａには、表裏面を貫通する複数の狭孔４１ｂが設けられ、狭孔４１ｂから液体を注ぐようになっている。
【００２８】
また、天板部４１は、内側に液体容器１の底部１２が載せられる円形の凹部４１ｃを段差状に低く形成し、凹部４１ｃの中央部にスティック収容部４３を備えている。また、凹部４１ｃの外周部には指掛け部４１ｄが窪んで設けられている。指掛け部４１ｄは、平面視してトラック形状であって、対向する二つの直線部の中間位置を境界線として、境界線より内側に設けられる下向き湾曲部４１ｅと、境界線より外側に設けられる切欠部４１ｆとから構成される。切欠部４１ｆは、上下方向に貫通している。下向き湾曲部４１ｅは、裏面側が膨らむ方向に湾曲した形状となっている。なお、側板部４２は、口部１１ａの全周のうち、注ぎ口１１ｂの箇所以外に設けてある。
【００２９】
スティック収容部４３は、内部に蓄冷剤６よりも凍結温度の高い冷媒液７を収容可能にすると共に、冷却スティック２を収容した場合には、収容前よりも冷媒液７の水位が上昇し、冷却スティック２の外周側を冷媒液７で囲むものである。
【００３０】
また、スティック収容部４３は、上方が開口している有底筒状の収容ケースであって、上端部が冷却スティック２を挿入するスティック挿入口部４３ａとなり、上端部より下側部分が冷却スティック２の胴部２１を収容する胴部収容部４３ｂとなる。その上、スティック収容部４３は、冷却スティック２の形状に合わせ、スティック挿入口部４３ａを、胴部収容部４３ｂよりも外側に突出する段付きの形状としてある。そして、全体として下方に向かうにつれて内径および外径が狭くなるテーパー形状としてあるので、スティック収容部４３の内面を洗いやすい。
【００３１】
スティック挿入口部４３ａは、その上方をカバーキャップ５の隠蔽板５１で覆うと共に、その内側には、カバーキャップ５の位置決め板５２が嵌まり込む。そして、位置決め板５２の内側には、冷却スティック２の鍔部２２が位置決めされて収容される。
【００３２】
胴部収容部４３ｂは、冷却スティック２の胴部２１の外周側を、冷媒液収容空間４４を介して取り囲むもので、冷却スティック２の鍔部２２よりも小径に形成してある。胴部収容部４３ｂは、中に入れる冷媒液７がオーバーフローするのを予防するために目印（図示せず）を刻設しておくことが望ましい。例えば、胴部収容部４３ｂの内周面又は外周面において、全深さの約１／３に目印を入れておく。胴部収容部４３ｂは透明であるので、中に入る液体を外側から目視でき、液体の水位を目印にあわせ易い。
【００３３】
カバーキャップ５は、スティック挿入口部４３ａを塞ぐ隠蔽板５１と、隠蔽板５１の外周縁部よりも内側に沿って垂下する位置決め板５２と、隠蔽板５１の上に突出する把持板５３とから構成される。隠蔽板５１は、円盤形状である。また、位置決め板５２は、リング状であって、その外周面にはスティック挿入口部４３ａに接するシール片５２ａを円周方向に沿って設けてある。把持板５３は、カバーキャップ５を使用する際に、指でつまむものであり、平面視すると、直線形状であって、隠蔽板５１の中央部から外周の対向する箇所に一直線に延長する状態となっている。
【００３４】
冷媒液７は、凍結した蓄冷剤６の冷たさを緩和して液体に伝えるもので、蓄冷剤６よりも凍結温度の高い液体、一例としては水が用いられる。
【００３５】
上述の液体容器ユニットは次のようにして使用する。まず、カバー本体４のスティック収容部４３に冷媒液となる水７を目印にあわせて全深さの約１／３まで入れる。次に、蓄冷剤６を凍結させた冷却スティック２をカバー本体４のスティック収容部４３の中に挿入する。すると、水７の水位が上昇し、スティック収容部４３の中が水７と冷却スティック２で満たされた状態となる。その後、カバーキャップ５を被せると、スティック挿入口部４３ａと冷却スティック２の鍔部２２との間に位置決め板５２が嵌り込み、冷却スティック２の胴部２１の外周を水７が取り囲む状態となる。時間が経つと蓄冷剤６の冷気が伝わって水７が凍り、液体容器１越しにスティック収容部４３が氷の棒のように見える。最後に、ビールが入った液体容器１にカバー本体４を被せると、液体容器１の中にスティック収容部４３が浸された状態となる。
【００３６】
本発明は上記実施形態に限定されない。例えば、カバーキャップ５の位置決め板５２は、隠蔽板５１の円周方向に沿って間隔をおいて複数設けられるものであってもよい。また、スティック収容部４３は、鍔部２２を有する冷却スティック２の形状に合わせた段付きの形状に限らず、胴部収容部４３ｂとスティック挿入口部４３ａが段差なしに筒状に連続する形態であっても良い。
【図面の簡単な説明】
【００３７】
【図１】液体容器と冷却ステッィクとカバー本体とカバーキャップとの関係を示す分解図である。
【図２】液体容器、冷却ステッィク、カバー本体、カバーキャップの使用状態を示す断面図である。
【図３】（イ）〜（ヘ）図は、カバー本体の平面図、裏面図、Ａ−Ａ線断面図、Ｂ−Ｂ線断面図、正面図、右側面図である。
【符号の説明】
【００３８】
１液体容器、２冷却スティック、３カバー、４カバー本体、５カバーキャップ、
６蓄冷剤、７冷媒液（水）、
１１側周部、１１ａ口部、１１ｂ注ぎ口、１２底部、１３空室、１４持ち手、
２１胴部、２２鍔部、２３ケース体、２３ａ開口部、２３ｂ蓄冷剤充填管、２３ｃ下鍔、
２４蓋、２４ａ抜穴、２４ｂ上鍔、２４ｃ嵌合片、２４ｄリブ、２５栓、
４１天板部、４１ａ泡切り部、４１ｂ狭孔、４１ｃ凹部、４１ｄ指掛け部、
４１ｅ下向き湾曲部、４１ｆ切欠部、４２側板部、
４３スティック収容部、４３ａスティック挿入口部、４３ｂ胴部収容部、
４４冷媒液収容空間、
５１隠蔽板、５２位置決め板、５２ａシール片、５３把持板、
【図１】
2010071509.tif 000003
【図２】
2010071509.tif 000004
【図３】
2010071509.tif 000005